(57)【要約】【課題】大画面、高精細プラズマディスプレイパネルであっても、駆動電圧を大きく上昇させることなく、かつ安定した書込み放電を発生させつつ、黒輝度を抑えてコントラストを高めた画像を表示する。【解決手段】放電セルで初期化放電を発生させる初期化動作と書込み放電を発生させる書込み動作と維持放電を発生させる維持動作とを行うサブフィールドを複数用いて１フィールドを構成し、サブフィールドの少なくとも１つにおいて、走査電極の少なくとも１つに下り傾斜波形電圧を複数回に分けて印加して初期化動作を行うとともに、下り傾斜波形電圧を印加する毎に維持電極にも下り傾斜波形電圧を印加し、維持電極に印加する下り傾斜波形電圧は、時間的に後に印加する下り傾斜波形電圧の勾配を、時間的に先に印加する下り傾斜波形電圧の勾配よりも急峻に設定する。【選択図】図３
2010249916.tif 000002
【特許請求の範囲】
【請求項１】
走査電極と維持電極とデータ電極とを有する放電セルを複数備えたプラズマディスプレイパネルの駆動方法であって、
前記放電セルで初期化放電を発生させる初期化動作と書込み放電を発生させる書込み動作と維持放電を発生させる維持動作とを行うサブフィールドを複数用いて１フィールドを構成し、
前記サブフィールドの少なくとも１つにおいて、前記走査電極の少なくとも１つに下り傾斜波形電圧を複数回に分けて印加して前記初期化動作を行うとともに、前記下り傾斜波形電圧を印加する毎に前記維持電極にも下り傾斜波形電圧を印加し、
前記維持電極に印加する下り傾斜波形電圧は、時間的に後に印加する下り傾斜波形電圧の勾配を、時間的に先に印加する下り傾斜波形電圧の勾配よりも急峻に設定することを特徴とするプラズマディスプレイパネルの駆動方法。
【請求項２】
前記走査電極を、第１走査電極群および第２走査電極群を含む複数の走査電極群に分け、
前記サブフィールドの少なくとも１つにおいて、前記第１走査電極群に属する走査電極に下り傾斜波形電圧を印加して初期化動作を行うとともに前記第２走査電極群に属する走査電極に１回目の下り傾斜波形電圧を印加し、その後に、前記第１走査電極群に属する走査電極に走査パルスを印加して書込み動作を行い、
その後、前記第２走査電極群に属する走査電極に２回目の下り傾斜波形電圧を印加して初期化動作を行った後に、前記第２走査電極群に属する走査電極に走査パルスを印加して書込み動作を行うことを特徴とする請求項１に記載のプラズマディスプレイパネルの駆動方法。
【請求項３】
走査電極と維持電極とデータ電極とを有する放電セルを複数備えたプラズマディスプレイパネルと、前記走査電極を駆動する走査電極駆動回路と、前記維持電極を駆動する維持電極駆動回路とを備え、
前記走査電極駆動回路および前記維持電極駆動回路は、前記放電セルで初期化放電を発生させる初期化動作と書込み放電を発生させる書込み動作と維持放電を発生させる維持動作とを行うサブフィールドを複数用いて１フィールドを構成して前記プラズマディスプレイパネルを駆動し、
前記走査電極駆動回路は、前記サブフィールドの少なくとも１つにおいて、前記走査電極の少なくとも１つに下り傾斜波形電圧を複数回に分けて印加して前記初期化動作を行い、
前記維持電極駆動回路は、前記下り傾斜波形電圧を印加する毎に前記維持電極にも下り傾斜波形電圧を印加するとともに、前記維持電極に印加する下り傾斜波形電圧は、時間的に後に印加する下り傾斜波形電圧の勾配を、時間的に先に印加する下り傾斜波形電圧の勾配よりも急峻にするように構成されていることを特徴とするプラズマディスプレイ装置。
【請求項４】
前記維持電極駆動回路は、前記維持電極に下り傾斜波形電圧を印加するタイミングでその出力インピーダンスをハイインピーダンスにすることを特徴とする請求項３に記載のプラズマディスプレイ装置。
【発明の詳細な説明】
【技術分野】
【０００１】
本発明は、交流面放電型のプラズマディスプレイパネルの駆動方法およびそれを用いたプラズマディスプレイ装置に関する。
【背景技術】
【０００２】
プラズマディスプレイパネル（以下、「パネル」と略記する）として代表的な交流面放電型パネルは、１対の走査電極と維持電極とからなる表示電極対が複数形成された前面基板と、複数の平行なデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行っている。
【０００３】
パネルを駆動する方法としてはサブフィールド法、すなわち、１フィールドを複数のサブフィールドに分割した上で、発光させるサブフィールドの組み合わせによって階調表示を行う方法が一般的である。各サブフィールドでは、初期化動作、書込み動作および維持動作を行う。初期化動作は初期化放電を発生し、続く書込み動作に必要な壁電荷を形成する動作である。初期化動作には、直前のサブフィールドの動作にかかわらず初期化放電を発生させる全セル初期化動作と、直前のサブフィールドで書込み放電を行った放電セルで初期化放電を発生させる選択初期化動作とがある。書込み動作は表示する画像に応じて放電セルで選択的に書込み放電を発生し壁電荷を形成する動作であり、維持動作は表示電極対に交互に維持パルスを印加して維持放電を発生させ、対応する放電セルの蛍光体層を発光させる動作である。
【０００４】
サブフィールド法の中でも、全セル初期化動作を行うサブフィールドを１フィールドに１回とし、緩やかに変化する傾斜波形電圧を用いて全セル初期化動作を行うことで、階調表示に関係しない発光を極力減らしてコントラストを向上させた駆動方法が、例えば、特許文献１に開示されている。
【先行技術文献】
【特許文献】
【０００５】
【特許文献１】特開２０００−２４２２２４号公報
【発明の概要】
【発明が解決しようとする課題】
【０００６】
近年、パネルはますます大画面化、高精細化され、それにともない表示画像のさらなる高コントラスト化、高画質化が求められている。
【０００７】
サブフィールド法を用いてパネルを駆動する場合、多数の走査電極に走査パルスを順次印加して書込み動作を行う。従って、複数の放電セルのうち走査パルスが印加される順番が遅い放電セルでは、初期化動作を行ってから走査パルスが印加されるまでの時間が長くなる。
【０００８】
初期化放電よって放電セルに形成された壁電荷は書込みパルスの影響を受けて徐々に減少する傾向がある。そのため、走査パルスが印加される順番が遅い放電セルほど壁電荷が減少し、その放電セルに走査パルスおよび書込みパルスを印加しても書込み放電が発生せず、書込み動作ができなくなるといった動作不良が発生する場合があった。
【０００９】
書込み放電を安定して発生させるためには、各電極に印加する駆動電圧を上げればよいが、これは消費電力を増大させる一因となる。
【００１０】
本発明は上記の課題に鑑みなされたものであり、大画面、高精細パネルであっても駆動電圧を大きく上昇させることなく、かつ安定した書込み放電を発生させつつ、黒輝度を抑えてコントラストを高めた画像表示が可能なパネルの駆動方法およびプラズマディスプレイ装置を提供することを目的とする。
【課題を解決するための手段】
【００１１】
上記目的を達成するために本発明は、走査電極と維持電極とデータ電極とを有する放電セルを複数備えたパネルの駆動方法であって、放電セルで初期化放電を発生させる初期化動作と書込み放電を発生させる書込み動作と維持放電を発生させる維持動作とを行うサブフィールドを複数用いて１フィールドを構成し、サブフィールドの少なくとも１つにおいて、走査電極の少なくとも１つに下り傾斜波形電圧を複数回に分けて印加して初期化動作を行うとともに、下り傾斜波形電圧を印加する毎に維持電極にも下り傾斜波形電圧を印加し、維持電極に印加する下り傾斜波形電圧は、時間的に後に印加する下り傾斜波形電圧の勾配を、時間的に先に印加する下り傾斜波形電圧の勾配よりも急峻に設定することを特徴とする。この方法により、大画面、高精細パネルであっても駆動電圧を大きく上昇させることなく、かつ安定した書込み放電を発生させつつ、黒輝度を抑えてコントラストを高めた画像表示が可能なパネルの駆動方法を提供することができる。
【００１２】
また本発明のパネルの駆動方法は、走査電極を第１走査電極群および第２走査電極群を含む複数の走査電極群に分け、サブフィールドの少なくとも１つにおいて、第１走査電極群に属する走査電極に下り傾斜波形電圧を印加して初期化動作を行うとともに第２走査電極群に属する走査電極に１回目の下り傾斜波形電圧を印加し、その後に、第１走査電極群に属する走査電極に走査パルスを印加して書込み動作を行い、その後、第２走査電極群に属する走査電極に２回目の下り傾斜波形電圧を印加して初期化動作を行った後に、第２走査電極群に属する走査電極に走査パルスを印加して書込み動作を行ってもよい。
【００１３】
また本発明のプラズマディスプレイ装置は、走査電極と維持電極とデータ電極とを有する放電セルを複数備えたパネルと、走査電極を駆動する走査電極駆動回路と、維持電極を駆動する維持電極駆動回路とを備え、走査電極駆動回路および維持電極駆動回路は、放電セルで初期化放電を発生させる初期化動作と書込み放電を発生させる書込み動作と維持放電を発生させる維持動作とを行うサブフィールドを複数用いて１フィールドを構成してパネルを駆動し、走査電極駆動回路は、サブフィールドの少なくとも１つにおいて、走査電極の少なくとも１つに下り傾斜波形電圧を複数回に分けて印加して初期化動作を行い、維持電極駆動回路は、下り傾斜波形電圧を印加する毎に維持電極にも下り傾斜波形電圧を印加するとともに、維持電極に印加する下り傾斜波形電圧は、時間的に後に印加する下り傾斜波形電圧の勾配を、時間的に先に印加する下り傾斜波形電圧の勾配よりも急峻にするように構成されていることを特徴とする。この構成により、大画面、高精細パネルであっても駆動電圧を大きく上昇させることなく、かつ安定した書込み放電を発生させつつ、黒輝度を抑えてコントラストを高めた画像表示が可能なプラズマディスプレイ装置を提供することができる。
【００１４】
また本発明のプラズマディスプレイ装置の維持電極駆動回路は、維持電極に下り傾斜波形電圧を印加するタイミングでその出力インピーダンスをハイインピーダンスにする構成であってもよい。この構成によれば、維持電極駆動回路の回路構成を大幅に簡略化することができる。
【発明の効果】
【００１５】
本発明によれば、大画面、高精細パネルであっても駆動電圧を大きく上昇させることなく、かつ安定した書込み放電を発生させつつ、黒輝度を抑えてコントラストを高めた画像表示が可能なパネルの駆動方法およびプラズマディスプレイ装置を提供することが可能となる。
【図面の簡単な説明】
【００１６】
【図１】本発明の実施の形態におけるプラズマディスプレイ装置に用いるパネルの分解斜視図である。
【図２】同プラズマディスプレイ装置に用いるパネルの電極配列図である。
【図３】同プラズマディスプレイ装置の各電極に印加する駆動電圧波形図である。
【図４Ａ】書込み放電を発生させるために必要な走査パルスの振幅と走査の順番との関係を示す概略特性図であり、本実施の形態における駆動方法を行った場合を示す図である。
【図４Ｂ】書込み放電を発生させるために必要な走査パルスの振幅と走査の順番との関係を示す概略特性図であり、本実施の形態における駆動方法を行わなかった場合を示す図である。
【図５Ａ】表示電極対間に傾斜波形電圧を２回に分けて印加して微弱な放電を発生させるときの発光の様子を示す模式図であり、２回目の表示電極対間の電位差の勾配が１回目の表示電極対間の電位差の勾配と等しい場合の図である。
【図５Ｂ】表示電極対間に傾斜波形電圧を２回に分けて印加して微弱な放電を発生させるときの発光の様子を示す模式図であり、２回目の表示電極対間の電位差の勾配が１回目の表示電極対間の電位差の勾配よりも緩やかな場合の図である。
【図６】本発明の実施の形態１におけるプラズマディスプレイ装置の回路ブロック図である。
【図７】同プラズマディスプレイ装置の走査電極駆動回路の回路図である。
【図８】同プラズマディスプレイ装置の維持電極駆動回路の回路図である。
【図９】同プラズマディスプレイ装置の走査電極駆動回路の動作を説明するためのタイミングチャートである。
【図１０】同プラズマディスプレイ装置の維持電極駆動回路の動作を説明するためのタイミングチャートである。
【図１１】本発明の実施の形態２におけるプラズマディスプレイ装置の維持電極駆動回路の回路図である。
【図１２】同プラズマディスプレイ装置の維持電極駆動回路の動作を説明するためのタイミングチャートである。
【発明を実施するための形態】
【００１７】
以下、本発明の実施の形態におけるプラズマディスプレイ装置について、図面を用いて説明する。
【００１８】
（実施の形態１）
図１は、本発明の実施の形態１におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１９】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態１におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００２２】
ｎ本の走査電極ＳＣ１〜ＳＣｎは、複数の走査電極群に分けられている。本実施の形態においては、図２に示したように、表示画面の上半分に位置する走査電極ＳＣ１〜ＳＣｎ／２を第１走査電極群、表示画面の下半分に位置する走査電極ＳＣｎ／２＋１〜ＳＣｎを第２走査電極群とした。以下では走査電極の数ｎを、ｎ＝１０８０本として、走査電極ＳＣ１〜ＳＣ５４０が第１走査電極群に属し、走査電極ＳＣ５４１〜ＳＣ１０８０が第２走査電極群に属するとして説明する。しかし走査電極の数、走査電極群の数、走査電極群の分け方等は上記に限定されるものではない。
【００２３】
次に、パネル１０を駆動するための駆動電圧波形とその動作について説明する。プラズマディスプレイ装置は、サブフィールド法、すなわち１フィールドを複数のサブフィールドに分割し、サブフィールド毎に各放電セルの発光・非発光を制御することによって画像を表示する。それぞれのサブフィールドでは初期化動作、書込み動作および維持動作を行う。初期化動作は初期化放電を発生し、続く書込み放電に必要な壁電荷を各電極上に形成する動作である。このときの初期化動作には、直前のサブフィールドの動作にかかわらず放電セルで初期化放電を発生させる全セル初期化動作と、直前のサブフィールドで維持放電を行った放電セルで初期化放電を発生させる選択初期化動作とがある。書込み動作は、発光させるべき放電セルで選択的に書込み放電を発生し壁電荷を形成する動作である。そして維持動作は、サブフィールド毎にあらかじめ決められた輝度重みに応じた数の維持パルスを表示電極対に交互に印加して、書込み放電を発生した放電セルで維持放電を発生させて発光させる動作である。
【００２４】
本実施の形態においては、第１走査電極群に属する走査電極ＳＣ１〜ＳＣ５４０を有する放電セル（以下、「第１放電セル」と略記する）で初期化動作を完了させて書込み動作を行った後に、第２走査電極群に属する走査電極ＳＣ５４１〜ＳＣ１０８０を有する放電セル（以下、「第２放電セル」と略記する）で初期化動作を完了させて書込み動作を行っている。
【００２５】
サブフィールド構成としては、例えば、１フィールドを１０のサブフィールド（ＳＦ１、ＳＦ２、・・・、ＳＦ１０）に分割し、各サブフィールドはそれぞれ、（１、２、３、６、１１、１８、３０、４４、６０、８０）の輝度重みを持つものとする。またＳＦ１において全セル初期化動作を行い、ＳＦ２〜ＳＦ１０において選択初期化動作を行うものとする。しかし、本発明が上記のサブフィールド構成に限定されるものではない。
【００２６】
図３は、本発明の実施の形態１におけるプラズマディスプレイ装置の各電極に印加する駆動電圧波形図である。
【００２７】
ＳＦ１の最初に全セル初期化動作の前半を行う。具体的には、まずデータ電極Ｄ１〜Ｄｍに電圧０（Ｖ）を印加し、維持電極ＳＵ１〜ＳＵ１０８０にも電圧０（Ｖ）を印加する。そして走査電極ＳＣ１〜ＳＣ１０８０には、維持電極ＳＵ１〜ＳＵ１０８０に対する放電開始電圧以下の電圧Ｖｉ１から放電開始電圧を超える電圧Ｖｉ２に向かって緩やかに上昇する上り傾斜波形電圧を印加する。すると、走査電極ＳＣ１〜ＳＣ１０８０と維持電極ＳＵ１〜ＳＵ１０８０との間、走査電極ＳＣ１〜ＳＣ１０８０とデータ電極Ｄ１〜Ｄｍとの間でそれぞれ微弱な初期化放電が起こり、走査電極ＳＣ１〜ＳＣ１０８０上に負の壁電圧が蓄積されるとともにデータ電極Ｄ１〜Ｄｍ上および維持電極ＳＵ１〜ＳＵ１０８０上に正の壁電圧が蓄積される。ここで電極上の壁電圧とは、電極を覆う誘電体層上、保護層上、蛍光体層上等に蓄積された壁電荷により生じる電圧を表す。
【００２８】
次に、第１放電セルに対する全セル初期化動作の後半を行う。具体的には、データ電極Ｄ１〜Ｄｍに電圧０（Ｖ）を印加し、第１走査電極群に属する走査電極ＳＣ１〜ＳＣ５４０に電圧Ｖｉ３から電圧Ｖｉ４に向かって下降する下り傾斜波形電圧を印加する。そして維持電極ＳＵ１〜ＳＵ１０８０には電圧Ｖｅから電圧Ｖｇまで第１の勾配で下降する下り傾斜波形電圧を印加する。このときの第１の勾配は、走査電極ＳＣ１〜ＳＣ５４０に印加する下り傾斜波形電圧の勾配よりも緩やかである。すると第１放電セルでは微弱な初期化放電が発生し、走査電極ＳＣ１〜ＳＣ５４０上および維持電極ＳＵ１〜ＳＵ５４０上の壁電圧が弱められる。またデータ電極Ｄ１〜Ｄｍの壁電圧の過剰な部分が放電され、書込み動作に適した壁電圧に調整される。このようにして第１放電セルでは全セル初期化動作が完了する。
【００２９】
この間、第２走査電極群に属する走査電極ＳＣ５４１〜ＳＣ１０８０にも第１の勾配より急峻に電圧Ｖｉ３から下降する下り傾斜波形電圧を印加するが、電圧Ｖｉ４よりも高い電圧Ｖｉ５で電圧の降下を停止する。そのため、第２走査電極群に属する走査電極ＳＣ５４１〜ＳＣ１０８０に印加される１回目の下り傾斜波形電圧により微弱な初期化放電が発生するものの、走査電極ＳＣ５４１〜ＳＣ１０８０上および維持電極ＳＵ５４１〜ＳＵ１０８０上には高い壁電圧が残っており、またデータ電極Ｄ１〜Ｄｍ上にも高い壁電圧が残留したままである。このように、第２放電セルでは全セル初期化動作が完了しない状態で保持される。
【００３０】
続いて第１放電セルで書込み動作を行う。具体的には、まず走査電極ＳＣ１〜ＳＣ１０８０に電圧Ｖｃを印加し、維持電極ＳＵ１〜ＳＵ１０８０には電圧Ｖｅを印加する。次に、１行目の走査電極ＳＣ１に電圧Ｖａの走査パルスを印加するとともに、発光すべき放電セルに対応するデータ電極Ｄｋに電圧Ｖｄの書込みパルスを印加する。すると、データ電極Ｄｋと走査電極ＳＣ１との間および維持電極ＳＵ１と走査電極ＳＣ１との間で書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００３１】
次に、２行目の走査電極ＳＣ２に走査パルスを印加するとともに、発光すべき放電セルに対応するデータ電極Ｄｋに電圧Ｖｄの書込みパルスを印加して各電極上に壁電圧を蓄積する書込み動作を行う。以下、５４０行目の走査電極ＳＣ５４０に至るまで同様の書込み動作を行う。
【００３２】
このように第１走査電極群に対する書込み動作では、走査電極ＳＣ１、ＳＣ２、・・・、ＳＣ５４０に電圧Ｖａの走査パルスを順次印加するとともに、第１放電セルのうち、発光すべき放電セルに対応するデータ電極Ｄｋに電圧Ｖｄの書込みパルスを印加して書込み放電を発生させ、続く維持放電に必要な壁電荷を形成する。
【００３３】
この間、第２走査電極群に属する走査電極ＳＣ５４１〜ＳＣ１０８０には走査パルスを印加しないので、第２放電セルでは放電は発生しない。
【００３４】
次に、第２放電セルに対して全セル初期化動作の後半を行う。具体的には、データ電極Ｄ１〜Ｄｍに電圧０（Ｖ）を印加し、第２走査電極群に属する走査電極ＳＣ５４１〜ＳＣ１０８０に電圧Ｖｉ４に向かって下降する下り傾斜波形電圧を印加する。そして維持電極ＳＵ１〜ＳＵ１０８０には第１の勾配よりも急峻な第２の勾配で電圧Ｖｅから電圧Ｖｇまで下降する下り傾斜波形電圧を印加する。ただし第２の勾配は走査電極ＳＣ５４１〜ＳＣ１０８０に印加する下り傾斜波形電圧の勾配よりも緩やかである。この第２走査電極群に属する走査電極ＳＣ５４１〜ＳＣ１０８０に印加する２回目の下り傾斜波形電圧により、第２放電セルでは再び微弱な初期化放電が発生し、走査電極ＳＣ５４１〜ＳＣ１０８０上および維持電極ＳＵ５４１〜ＳＵ１０８０上の壁電圧が弱められる。またデータ電極Ｄ１〜Ｄｍの壁電圧の過剰な部分が放電され、書込み動作に適した壁電圧に調整される。このようにして第２放電セルでも全セル初期化動作が完了する。
【００３５】
この間、本実施の形態においては、第１走査電極群に属する走査電極ＳＣ１〜ＳＣ５４０にも電圧Ｖｉ４に向かって下降する下り傾斜波形電圧を印加する。このようにしても、第１放電セルのうちすでに書込み放電を発生した放電セルでは、走査電極上に正の壁電圧が蓄積されて維持電極上およびデータ電極上に負の壁電圧が蓄積されているため初期化放電は発生しない。また書込み放電を発生しなかった放電セルでは第１走査電極群に対する初期化動作終了時における壁電荷がそのまま保たれるため初期化放電は発生しない。このように、第１放電セルでは初期化放電は発生しない。
【００３６】
なおこの間、第１走査電極群に属する走査電極ＳＣ１〜ＳＣ５４０には放電が発生しない範囲の任意の電圧を印加してもよく、またフローティング状態としてもよい。
【００３７】
続いて第２放電セルで書込み動作を行う。具体的には、走査電極ＳＣ５４１、ＳＣ５４２、・・・、ＳＣ１０８０に電圧Ｖａの走査パルスを順次印加するとともに、第２放電セルのうち、発光すべき放電セルに対応するデータ電極Ｄｋに電圧Ｖｄの書込みパルスを印加して書込み放電を発生させ、続く維持放電に必要な壁電荷を形成する。
【００３８】
この間、第１走査電極群に属する走査電極ＳＣ１〜ＳＣ５４０には走査パルスを印加しないので、第１放電セルでは書込み放電は発生しない。
【００３９】
続いて第１放電セルおよび第２放電セルで維持放電を行う。具体的には、維持電極ＳＵ１〜ＳＵ１０８０に電圧０（Ｖ）を印加するとともに走査電極ＳＣ１〜ＳＣ１０８０に電圧Ｖｓの維持パルスを印加する。すると書込み放電を起こした放電セルでは、走査電極ＳＣｉ上と維持電極ＳＵｉ上との電圧差は電圧Ｖｓに走査電極ＳＣｉ上の壁電圧と維持電極ＳＵｉ上の壁電圧との差を加算したものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み放電が起きなかった放電セルでは維持放電は発生せず、初期化動作の終了時における壁電圧が保たれる。
【００４０】
続いて、走査電極ＳＣ１〜ＳＣ１０８０に電圧０（Ｖ）を印加するとともに維持電極ＳＵ１〜ＳＵ１０８０に電圧Ｖｓの維持パルスを印加する。すると、先ほど維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。図３のＳＦ１では走査電極ＳＣ１〜ＳＣ１０８０と維持電極ＳＵ１〜ＳＵ１０８０とにそれぞれ１回ずつ維持パルスを印加する例を示しているが、走査電極ＳＣ１〜ＳＣ１０８０と維持電極ＳＵ１〜ＳＵ１０８０とに交互に輝度重みに応じた数の維持パルスを印加し、書込み放電を起こした放電セルで維持放電を継続して発生させる。
【００４１】
そして維持動作の後には、電圧Ｖｒに向かって緩やかに上昇する上り傾斜波形電圧を走査電極ＳＣ１〜ＳＣ１０８０に印加する。すると維持放電を行った放電セルでは消去放電が発生して、データ電極Ｄｋ上の正の壁電圧を残したまま、走査電極ＳＣｉ上および維持電極ＳＵｉ上の壁電圧が消去される。
【００４２】
なお、輝度重みに応じた維持パルスの数が「０」の場合には、走査電極ＳＣ１〜ＳＣ１０８０および維持電極ＳＵ１〜ＳＵ１０８０に維持パルスを印加することなく、電圧Ｖｒに向かって緩やかに上昇する上り傾斜波形電圧を走査電極ＳＣ１〜ＳＣ１０８０に印加して消去放電を発生させる。こうして維持動作を終了する。
【００４３】
ＳＦ２では、まず第１走査電極群に対する選択初期化動作を行う。具体的には、データ電極Ｄ１〜Ｄｍに電圧０（Ｖ）を印加し、第１走査電極群に属する走査電極ＳＣ１〜ＳＣ５４０に電圧Ｖｉ４に向かって第１の勾配よりも急峻に下降する下り傾斜波形電圧を印加する。そして維持電極ＳＵ１〜ＳＵ１０８０には電圧Ｖｅから電圧Ｖｇまで第１の勾配で緩やかに下降する下り傾斜波形電圧を印加する。すると第１放電セルのうち、直前のサブフィールドであるＳＦ１において維持放電を発生した放電セルで微弱な初期化放電が発生し、走査電極ＳＣｉ上および維持電極ＳＵｉ上の壁電圧が弱められる。またデータ電極Ｄｋの高い壁電圧が放電され、書込み動作に適した壁電圧に調整される。このようにして第１放電セルでは選択初期化動作が完了する。
【００４４】
この間、第２走査電極群に属する走査電極ＳＣ５４１〜ＳＣ１０８０には電圧Ｖｉ４まで下降する下り傾斜波形電圧を印加しないので、第２放電セルでは初期化放電は発生しない。
【００４５】
続いて第１放電セルで書込み動作を行う。具体的には、走査電極ＳＣ１、ＳＣ２、・・・、ＳＣ５４０に電圧Ｖａの走査パルスを順次印加するとともに、第１放電セルのうち、発光すべき放電セルに対応するデータ電極Ｄｋに電圧Ｖｄの書込みパルスを印加して書込み放電を発生させ、続く維持放電に必要な壁電荷を形成する。
【００４６】
この間、第２走査電極群に属する走査電極ＳＣ５４１〜ＳＣ１０８０には走査パルスを印加しないので、第２放電セルでは放電は発生しない。
【００４７】
続いて第２放電セルで選択初期化動作を行う。具体的には、データ電極Ｄ１〜Ｄｍに電圧０（Ｖ）を印加し、維持電極ＳＵ１〜ＳＵ１０８０には第１の勾配よりも急峻な第２の勾配で電圧Ｖｅから電圧Ｖｇまで下降する下り傾斜波形電圧を印加する。そして第２走査電極群に属する走査電極ＳＣ５４１〜ＳＣ１０８０に電圧Ｖｉ４に向かって第２の勾配よりも急峻に下降する下り傾斜波形電圧を印加する。すると第２放電セルのうち直前のサブフィールドにおいて維持放電を発生した放電セルでは微弱な初期化放電が発生し、走査電極ＳＣｉ上および維持電極ＳＵｉ上の壁電圧が弱められる。またデータ電極Ｄｋの壁電圧の過剰な部分が放電され、書込み動作に適した壁電圧に調整される。
【００４８】
この間、本実施の形態においては、第１走査電極群に属する走査電極ＳＣ１〜ＳＣ５４０にも電圧Ｖｉ４に向かって下降する下り傾斜波形電圧を印加しているが、第１放電セルでは放電は発生しない。
【００４９】
続いて第２放電セルで書込み動作を行う。具体的には、走査電極ＳＣ５４１、ＳＣ５４２、・・・、ＳＣ１０８０に電圧Ｖａの走査パルスを順次印加するとともに、第２放電セルのうち、発光すべき放電セルに対応するデータ電極Ｄｋに電圧Ｖｄの書込みパルスを印加して書込み放電を発生させ、続く維持放電に必要な壁電荷を形成する。
【００５０】
この間、第１走査電極群に属する走査電極ＳＣ１〜ＳＣ５４０には走査パルスを印加しないので、第１放電セルでは書込み放電は発生しない。
【００５１】
続くＳＦ２の維持動作では、輝度重みに応じた数の維持パルスを表示電極対に印加し、書込み放電を起こした放電セルで維持放電を発生させる。そして維持放電の後には、電圧Ｖｒに向かって緩やかに上昇する上り傾斜波形電圧を走査電極ＳＣ１〜ＳＣｎに印加して、壁電圧を消去する消去放電を行う。
【００５２】
続くＳＦ３〜ＳＦ１０における動作は、維持パルス数を除きＳＦ２の動作とほぼ同様であるため説明を省略する。
【００５３】
なお、本実施の形態においては、電圧Ｖｉ１は１５０（Ｖ）、電圧Ｖｉ２は３５０（Ｖ）、電圧Ｖｉ３は２１０（Ｖ）、電圧Ｖｉ４は−１８０（Ｖ）、電圧Ｖｃは−５０（Ｖ）、電圧Ｖａは−２００（Ｖ）、電圧Ｖｓは２１０（Ｖ）、電圧Ｖｒは２１０（Ｖ）、電圧Ｖｅは１４０（Ｖ）、電圧Ｖｇは１２０（Ｖ）、電圧Ｖｄは７５（Ｖ）である。また走査電極ＳＣ１〜ＳＣ１０８０の初期化期間に印加する上り傾斜波形電圧の勾配は１０（Ｖ／μｓ）、下り傾斜波形電圧の勾配は３（Ｖ／μｓ）である。また維持電極ＳＵ１〜ＳＵ１０８０に最初に印加する下り傾斜波形電圧の第１の勾配は１（Ｖ／μｓ）、その次に印加する下り傾斜波形電圧の第２の勾配は２（Ｖ／μｓ）である。しかしこれらの電圧値、勾配は上述した値に限定されるものではなく、パネル１０の放電特性やプラズマディスプレイ装置の仕様にもとづき最適に設定することが望ましい。
【００５４】
このように、本実施の形態においては、走査電極ＳＣ１〜ＳＣ１０８０を少なくとも第１走査電極群および第２走査電極群を含む複数の走査電極群に分け、ＳＦ１において、第１走査電極群に属する走査電極ＳＣ１〜ＳＣ５４０に下り傾斜波形電圧を印加して初期化動作を行うとともに第２走査電極群に属する走査電極ＳＣ５４０〜ＳＣ１０８０にも１回目の下り傾斜波形電圧を印加し、その後に第１放電セルの書込み動作を行い、その後、第２走査電極群に属する走査電極ＳＣ５４０〜ＳＣ１０８０に２回目の下り傾斜波形電圧を印加して初期化動作を行った後に第２放電セルで書込み動作を行い、その後維持動作を行っている。このような駆動方法を、以下「２相駆動」と略記する。これにより、大画面パネルであっても駆動電圧を大きく上昇させることなく書込み放電を発生させることができる。以下にその理由について説明する。
【００５５】
図４Ａおよび図４Ｂは、書込み放電を発生させるために必要な走査パルスの振幅と走査の順番との関係を示す概略特性図であり、図４Ａは、本実施の形態における駆動方法、すなわち２相駆動を行った場合を示し、図４Ｂは、２相駆動を行わなかった場合を示している。なお、図４Ａおよび図４Ｂは、初期化動作後の時間経過と、そのとき書込み放電を発生させるために必要な走査パルスの振幅の最低値との関係を測定した結果を示した図であり、走査パルスの振幅を走査電極毎に変えているわけではない。このように、書込み放電を発生させるために必要な走査パルスの振幅は、初期化動作を行ってからの時間経過が長くなるほど大きくなる。
【００５６】
さらに、初期化動作時にプライミングが多いとこの傾向がさらに大きくなる。例えば低い階調を表示する放電セルであって、近傍に高い階調を表示する放電セル、すなわち輝度重みの大きい最後のサブフィールドで維持放電を発生する放電セルが存在する場合に、この傾向が大きくなる。
【００５７】
これは、初期化放電よって放電セルに形成された壁電荷が、時間の経過とともに徐々に減少するためと考えられる。この壁電荷の減少は、例えば表示画像に応じた書込みパルスが各データ電極に印加され暗電流が流れて発生する。そのため走査の順番が遅い放電セルほど壁電荷は減少し、その分、走査パルス電圧を大きくしなければならなくなると考えられる。
【００５８】
仮に２相駆動を行わなかったと仮定すると、図４Ｂに示すように、最初に走査パルスを印加する走査電極ＳＣ１に必要な電圧と最後に走査パルスを印加する走査電極ＳＣ１０８０に必要な電圧との電圧差は約３４（Ｖ）になることが実験により確認された。
【００５９】
しかしながら本実施の形態においては２相駆動を行っている。そのため、最初に走査パルスを印加する走査電極ＳＣ１、ＳＣ５４１と最後に走査パルスを印加する走査電極ＳＣ５４０、ＳＣ１０８０との時間差は２相駆動を行わなかった場合の１／２に短縮される。その結果、最初に走査パルスを印加する走査電極ＳＣ１、ＳＣ５４１と最後に走査パルスを印加する走査電極ＳＣ５４０、ＳＣ１０８０との電圧差は約１４（Ｖ）になり、２相駆動を行わなかった場合と比較して約２０（Ｖ）低減できることが実験により確認された。
【００６０】
このように、本実施の形態においては２相駆動を行うことにより、書込み放電を発生させるために必要な走査パルスの振幅を低減することが可能となる。
【００６１】
また本実施の形態においては、走査電極ＳＣ５４１〜ＳＣ１０８０に下り傾斜波形電圧を２回に分けて印加する際に、維持電極ＳＵ１〜ＳＵｎにも電圧Ｖｇまで降下する下り傾斜波形電圧を２回印加する。そして維持電極ＳＵ１〜ＳＵｎに印加する下り傾斜波形電圧は、時間的に後に印加する下り傾斜波形電圧の第２の勾配を、時間的に先に印加する下り傾斜波形電圧の第１の勾配よりも急峻に設定している。これにより初期化放電を安定して発生させることができる。以下にその理由について説明する。
【００６２】
本実施の形態においては、維持電極に下り傾斜波形電圧を印加しながら走査電極にそれよりも急峻な下り傾斜波形電圧を印加して、表示電極対間の電位差を緩やかに変化させて初期化放電を発生させている。このように、走査電極だけでなく維持電極にも下り傾斜波形電圧を印加しながら初期化放電を発生させることにより、維持電極およびデータ電極の間に異常な壁電荷が蓄積することを防止できるため安定した初期化放電を発生させることができる。
【００６３】
一般に走査電極と維持電極との一方または両方に傾斜波形電圧を印加して、表示電極対間の電位差を緩やかに変化させながら放電させると微弱な放電となることはよく知られている。本発明者らは、この傾斜波形電圧を用いた放電を詳細に調べた結果、傾斜波形電圧の印加を一旦中断し、その後傾斜波形電圧の印加を再開する場合に、表示電極対間の電位差の勾配を同じ勾配で再開すると強い放電が発生する確率が高くなることを見出した。図５Ａおよび図５Ｂは、表示電極対間に傾斜波形電圧を２回に分けて印加して微弱な放電を発生させるときの印加電圧とそのときの発光強度とを示す模式図であり、図５Ａは、２回目の表示電極対間の電位差の勾配が１回目の表示電極対間の電位差の勾配と等しい場合の印加電圧とそのときの発光強度、図５Ｂは２回目の表示電極対間の電位差の勾配が１回目の表示電極対間の電位差の勾配よりも緩やかな場合の印加電圧とそのときの発光強度とをそれぞれ示している。なお、発光強度と放電の強さとは相関があるため、微弱な放電にともなう発光強度は低く、強い放電にともなう発光強度は高い。
【００６４】
まず、最初に表示電極対間に傾斜波形電圧を印加した場合の放電について考える。この場合はプライミングの減少した状態から放電が開始するため、表示電極対間の電位差が放電開始電圧を超えた直後に放電が開始するのではなく、放電遅れ時間の後にまず弱い放電が発生する。その後はこの弱い放電で発生したプライミングを受けて微弱な放電が安定して発生する。そしてこの微弱な放電は表示電極対間の電位差の勾配が小さいほど弱い放電となる。しかし表示電極対間の電位差の勾配が一定であっても継続して印加される場合は、この微弱放電は時間の経過とともに強くなる傾向を示す。これは時間の経過とともに放電セル内部の放電領域が広がるためであると考えられる。
【００６５】
次に、微弱な放電がある程度継続した後、一旦中断し、その後２回目に表示電極対間に傾斜波形電圧を印加した場合の放電について考える。表示電極対間の電位差が１回目の放電を中断した電位差を超えると再び放電開始電圧を超えるが、この場合もプライミングの減少した状態から放電が再開するため、表示電極対間の電位差が放電開始電圧を超えてもすぐに放電が開始するのではなく、放電遅れ時間の後にまず弱い放電が発生する。しかしこのときの弱い放電は、放電領域が広がった状態から放電が再開するため、１回目の放電の最初に発生する弱い放電よりも強くなる。そしてこの弱い放電があまり強くなければ、図５Ａの下段に実線で示したように、その後はこの弱い放電で発生したプライミングを受けて微弱な放電が安定して発生する。しかしながら、この弱い放電がある程度強い場合には過剰なプライミングを発生し、図５Ａの下段に点線で示したように、放電領域を一気に拡大し強放電に成長すると考えられる。そしてこの弱い放電が強放電に成長すると初期化動作が正常に行われず、続く書込み動作、維持動作も正常に行われないので画像表示品質を低下させることになる。
【００６６】
しかしながら本実施の形態においては、図５Ｂに示したように、２回目に維持電極に印加する下り傾斜波形電圧の第２の勾配を１回目の傾斜波形電圧の第１の勾配よりも急峻に設定している。その結果、表示電極対間の印加電圧に注目すると、２回目に表示電極対間に印加される下り傾斜波形電圧の勾配は１回目に表示電極対間に印加される傾斜波形電圧の勾配よりも緩やかとなる。そのため、放電領域が広がった状態から再開する放電であっても、放電遅れ時間の後に発生する弱い放電を弱めることができ、強放電に成長する確率を大幅に抑制することができる。このように、表示電極対間に傾斜波形電圧を複数回に分けて印加する場合には、印加する傾斜波形電圧の勾配を後になるほど緩やかに設定することで、安定した放電を発生させることができる。
【００６７】
次に、パネル１０を駆動するための駆動回路とその動作について説明する。図６は、本発明の実施の形態１におけるプラズマディスプレイ装置４０の回路ブロック図である。プラズマディスプレイ装置４０は、パネル１０とその駆動回路とを備え、駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００６８】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する書込みパルスに変換し各データ電極Ｄ１〜Ｄｍに印加する。タイミング発生回路４５は垂直および水平同期信号をもとにして各回路ブロックの動作を制御する各種のタイミング信号を発生し、それぞれの回路ブロックへ供給する。走査電極駆動回路４３は、タイミング信号にもとづいて上述した駆動電圧波形を発生し各走査電極ＳＣ１〜ＳＣ１０８０のそれぞれに印加する。維持電極駆動回路４４は、タイミング信号にもとづいて上述した駆動電圧波形を発生し維持電極ＳＵ１〜ＳＵ１０８０に印加する。
【００６９】
図７は、本発明の実施の形態１におけるプラズマディスプレイ装置４０の走査電極駆動回路４３の回路図である。走査電極駆動回路４３は、維持パルス発生回路５０と、傾斜波形電圧発生回路６０と、走査パルス発生回路７０とを備えている。
【００７０】
維持パルス発生回路５０は、電力回収回路５１と、スイッチング素子Ｑ５５と、スイッチング素子Ｑ５６と、スイッチング素子Ｑ５９とを有し、走査電極ＳＣ１〜ＳＣ１０８０に印加する維持パルスを発生する。電力回収回路５１は走査電極ＳＣ１〜ＳＣ１０８０を駆動するときの電力を回収して再利用する。スイッチング素子Ｑ５５は走査電極ＳＣ１〜ＳＣ１０８０を電圧Ｖｓにクランプし、スイッチング素子Ｑ５６は走査電極ＳＣ１〜ＳＣ１０８０を電圧０（Ｖ）にクランプする。スイッチング素子Ｑ５９は分離スイッチであり、走査電極駆動回路４３を構成するスイッチング素子の寄生ダイオード等を介して電流が逆流するのを防止するために設けられている。
【００７１】
走査パルス発生回路７０は、スイッチング素子Ｑ７１Ｈ１〜Ｑ７１Ｈ１０８０、Ｑ７１Ｌ１〜Ｑ７１Ｌ１０８０、スイッチング素子Ｑ７２を有する。そして電圧Ｖａの電源、および電圧Ｖａの電源に重畳された電圧Ｖｐの電源をもとにして走査パルスを発生し、走査電極ＳＣ１〜ＳＣ１０８０のそれぞれに、図３に示したタイミングで走査パルスを順次印加する。なお、走査パルス発生回路７０は、維持動作時には維持パルス発生回路５０および傾斜波形電圧発生回路６０の出力電圧をそのまま出力する。すなわち、図７に示したＡ点の電圧を走査電極ＳＣ１〜ＳＣ１０８０へ出力する。
【００７２】
傾斜波形電圧発生回路６０は、ミラー積分回路６１〜６３を備え、図３に示した傾斜波形電圧を発生させる。ミラー積分回路６１は、トランジスタＱ６１とコンデンサＣ６１と抵抗Ｒ６１とを有し、電圧Ｖｔまで緩やかに上昇する上り傾斜波形電圧を発生する。ミラー積分回路６２は、トランジスタＱ６２とコンデンサＣ６２と抵抗Ｒ６２と逆流防止用のダイオードＤ６２とを有し、電圧Ｖｒまで緩やかに上昇する上り傾斜波形電圧を発生する。ミラー積分回路６３は、トランジスタＱ６３とコンデンサＣ６３と抵抗Ｒ６３とを有し、電圧Ｖｉ４まで緩やかに低下する下り傾斜波形電圧を発生する。なおスイッチング素子Ｑ６９も分離スイッチであり、走査電極駆動回路４３を構成するスイッチング素子の寄生ダイオード等を介して電流が逆流するのを防止するために設けられている。
【００７３】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００７４】
図８は、本発明の実施の形態１におけるプラズマディスプレイ装置４０の維持電極駆動回路４４の回路図である。維持電極駆動回路４４は、維持パルス発生回路８０と、Ｖｅ電圧発生回路９０と、傾斜波形電圧発生回路９５とを備えている。
【００７５】
維持パルス発生回路８０は、電力回収回路８１と、スイッチング素子Ｑ８５と、スイッチング素子Ｑ８６とを有し、維持電極ＳＵ１〜ＳＵ１０８０に印加する維持パルスを発生する。電力回収回路８１は維持電極ＳＵ１〜ＳＵ１０８０を駆動するときの電力を回収して再利用する。スイッチング素子Ｑ８５は維持電極ＳＵ１〜ＳＵ１０８０を電圧Ｖｓにクランプし、スイッチング素子Ｑ８６は維持電極ＳＵ１〜ＳＵ１０８０を電圧０（Ｖ）にクランプする。
【００７６】
Ｖｅ電圧発生回路９０は、スイッチング素子Ｑ９１、逆流防止用のダイオードＤ９１を有し、維持電極ＳＵ１〜ＳＵ１０８０に電圧Ｖｅを印加する。
【００７７】
傾斜波形電圧発生回路９５は、ミラー積分回路９６、９７を備え、図３に示した傾斜波形電圧を発生させる。ミラー積分回路９６は、トランジスタＱ９６とコンデンサＣ９６と抵抗Ｒ９６とを有し、第１の勾配で電圧Ｖｇまで緩やかに低下する下り傾斜波形電圧を発生する。ミラー積分回路９７は、トランジスタＱ９７とコンデンサＣ９７と抵抗Ｒ９７とを有し、第２の勾配で電圧Ｖｇまで緩やかに低下する下り傾斜波形電圧を発生する。
【００７８】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００７９】
次に、走査電極駆動回路４３および維持電極駆動回路４４の動作について説明する。なお本実施の形態においては、図３に示した電圧Ｖｉ１は電圧Ｖｐに等しく、電圧Ｖｉ２は電圧（Ｖｔ＋Ｖｐ）に等しく、電圧Ｖｉ３は電圧Ｖｓに等しく、電圧Ｖｃは電圧（Ｖａ＋Ｖｐ）に等しいものとして説明する。しかしこれらの電圧は上記に限定されるものではなく、回路構成に応じて適宜設定することができる。
【００８０】
図９は、本発明の実施の形態１におけるプラズマディスプレイ装置４０の走査電極駆動回路４３の動作を説明するためのタイミングチャートである。
【００８１】
第１放電セルおよび第２放電セルで全セル初期化動作の前半を行うには、まずスイッチング素子Ｑ５６、スイッチング素子Ｑ６９、スイッチング素子Ｑ７１Ｌ１〜Ｑ７１Ｌ１０８０をオンにして走査電極ＳＣ１〜ＳＣ１０８０に電圧０（Ｖ）を印加する。次にスイッチング素子Ｑ５６、スイッチング素子Ｑ７１Ｌ１〜Ｑ７１Ｌ１０８０をオフ、スイッチング素子Ｑ７１Ｈ１〜Ｑ７１Ｈ１０８０をオンにして走査電極ＳＣ１〜ＳＣ１０８０に電圧Ｖｐを印加する。そしてミラー積分回路６１の入力端子ＩＮ６１に所定の電圧を印加して、図７のＢ点の電圧を電圧Ｖｔまで緩やかに上昇させて、走査電極ＳＣ１〜ＳＣ１０８０に電圧（Ｖｔ＋Ｖｐ）まで緩やかに上昇する上り傾斜波形電圧を印加する。
【００８２】
第１放電セルで全セル初期化動作の後半を行うには、スイッチング素子Ｑ７１Ｈ１〜Ｑ７１Ｈ１０８０をオフ、スイッチング素子Ｑ５５、スイッチング素子Ｑ５９、スイッチング素子Ｑ７１Ｌ１〜Ｑ７１Ｌ１０８０をオンにして、まず走査電極ＳＣ１〜ＳＣ１０８０に電圧Ｖｓを印加する。その後、スイッチング素子Ｑ６９をオフにするとともにミラー積分回路６３の入力端子ＩＮ６３に所定の電圧を印加してミラー積分回路６３を動作させて、走査電極ＳＣ１〜ＳＣ１０８０の電圧を低下させる。このとき第１走査電極群に属する走査電極ＳＣ１〜ＳＣ５４０の電圧は、電圧Ｖｉ４まで低下させる。一方、第２走査電極群に属する走査電極ＳＣ５４１〜ＳＣ１０８０の電圧が電圧Ｖｉ５に達した時刻においてスイッチング素子Ｑ７１Ｌ５４１〜Ｑ７１Ｌ１０８０をオフにして、走査電極ＳＣ５４１〜ＳＣ１０８０をハイインピーダンス状態とする。
【００８３】
第１放電セルで書込み動作を行うには、まずミラー積分回路６３のトランジスタＱ６３をオフ、スイッチング素子Ｑ７２をオンにしてＡ点の電圧を電圧Ｖａにするとともに、スイッチング素子Ｑ７１Ｌ１〜Ｑ７１Ｌ１０８０をオフ、スイッチング素子Ｑ７１Ｈ１〜Ｑ７１Ｈ１０８０をオンとして、走査電極ＳＣ１〜ＳＣ１０８０のそれぞれに電圧（Ｖａ＋Ｖｐ）を印加する。
【００８４】
次に、スイッチング素子Ｑ７１Ｈ１をオフ、スイッチング素子Ｑ７１Ｌ１をオンにし、その後スイッチング素子Ｑ７１Ｌ１をオフ、スイッチング素子Ｑ７１Ｈ１をオンに戻す。このようにして走査電極ＳＣ１に電圧Ｖａの走査パルスを印加する。以下同様にして、第１走査電極群に属する走査電極ＳＣ５４０に至るまで走査パルスを順次印加する。
【００８５】
その後、まずスイッチング素子Ｑ７２、スイッチング素子Ｑ７１Ｈ１〜Ｑ７１Ｈ１０８０をオフ、スイッチング素子Ｑ５６、スイッチング素子Ｑ６９、スイッチング素子Ｑ７１Ｌ１〜Ｑ７１Ｌ１０８０をオンとして走査電極ＳＣ１〜ＳＣ１０８０に電圧０（Ｖ）を印加する。
【００８６】
次に第２放電セルで全セル初期化動作の後半を行うには、スイッチング素子Ｑ５６、Ｑ６９をオフに戻すとともに、ミラー積分回路６３の入力端子ＩＮ６３に所定の電圧を印加してミラー積分回路６３を動作させて、電圧Ｖｉ４まで低下する傾斜波形電圧を走査電極ＳＣ１〜ＳＣ１０８０に印加する。
【００８７】
次に第２放電セルで書込み動作を行うには、まずミラー積分回路６３のトランジスタＱ６３をオフ、スイッチング素子Ｑ７２をオンにしてＡ点の電圧を電圧Ｖａにするとともに、スイッチング素子Ｑ７１Ｌ１〜Ｑ７１Ｌ１０８０をオフ、スイッチング素子Ｑ７１Ｈ１〜Ｑ７１Ｈ１０８０をオンとして、走査電極ＳＣ１〜ＳＣ１０８０のそれぞれに電圧（Ｖａ＋Ｖｐ）を印加する。
【００８８】
次に、スイッチング素子Ｑ７１Ｈ５４１をオフ、スイッチング素子Ｑ７１Ｌ５４１をオンにし、その後スイッチング素子Ｑ７１Ｌ５４１をオフ、スイッチング素子Ｑ７１Ｈ５４１をオンに戻す。このようにして走査電極ＳＣ５４１に電圧Ｖａの走査パルスを印加する。以下同様にして、第２走査電極群に属する走査電極ＳＣ１０８０に至るまで走査パルスを順次印加する。
【００８９】
その後、スイッチング素子Ｑ７２、スイッチング素子Ｑ７１Ｈ１〜Ｑ７１Ｈ１０８０をオフ、スイッチング素子Ｑ５６、スイッチング素子Ｑ６９、スイッチング素子Ｑ７１Ｌ１〜Ｑ７１Ｌ１０８０をオンにして走査電極ＳＣ１〜ＳＣ１０８０に電圧０（Ｖ）を印加する。
【００９０】
図１０は、本発明の実施の形態１におけるプラズマディスプレイ装置４０の維持電極駆動回路４４の動作を説明するためのタイミングチャートである。
【００９１】
全セル初期化動作の前半に維持電極ＳＵ１〜ＳＵ１０８０に電圧０（Ｖ）を印加するには、スイッチング素子Ｑ８６をオンにする。
【００９２】
第１放電セルの全セル初期化動作の後半で維持電極ＳＵ１〜ＳＵ１０８０に電圧Ｖｅから電圧Ｖｇに向かって第１の勾配で緩やかに降下する下り傾斜波形電圧を印加するには、スイッチング素子Ｑ８６をオフ、スイッチング素子Ｑ９１をオンにして、まず維持電極ＳＵ１〜ＳＵ１０８０に電圧Ｖｅを印加する。その後、スイッチング素子Ｑ９１をオフにするとともにミラー積分回路９６の入力端子ＩＮ９６に所定の電圧を印加してミラー積分回路９６を動作させて、維持電極ＳＵ１〜ＳＵ１０８０の電圧を第１の勾配で電圧Ｖｇまで低下させる。
【００９３】
第１放電セルの書込み期間には、ミラー積分回路９６のトランジスタＱ９６をオフ、スイッチング素子Ｑ９１をオンにして維持電極ＳＵ１〜ＳＵ１０８０に電圧Ｖｅを印加する。
【００９４】
次に第２放電セルの全セル初期化動作の後半で維持電極ＳＵ１〜ＳＵ１０８０に電圧Ｖｅから電圧Ｖｇに向かって第２の勾配で緩やかに降下する下り傾斜波形電圧を印加するには、スイッチング素子Ｑ９１を継続してオンにして、まず維持電極ＳＵ１〜ＳＵ１０８０に電圧Ｖｅを印加する。その後、スイッチング素子Ｑ９１をオフにするとともにミラー積分回路９７の入力端子ＩＮ９７に所定の電圧を印加してミラー積分回路９７を動作させて、維持電極ＳＵ１〜ＳＵ１０８０の電圧を第２の勾配で電圧Ｖｇまで低下させる。
【００９５】
以上のようにして、走査電極駆動回路４３および維持電極駆動回路４４を用いて２相駆動を行うことができる。
【００９６】
なお、図８には、２つのミラー積分回路９６、９７を備えた維持電極駆動回路４４を示した。しかし走査電極と維持電極との間に存在する電極間容量を利用すると維持電極駆動回路の回路構成を大幅に簡略化することができる。以下に簡略化した維持電極駆動回路とその動作について説明する。
【００９７】
（実施の形態２）
実施の形態２で用いるパネルの構成、各電極に印加する駆動電圧波形、走査電極駆動回路は、実施の形態１で説明したパネル１０、駆動電圧波形、走査電極駆動回路４３と同様である。図１１は、本発明の実施の形態２におけるプラズマディスプレイ装置４０の維持電極駆動回路１４４の回路図である。維持電極駆動回路１４４は、維持パルス発生回路８０と、Ｖｅ電圧発生回路９０とを備えているが、傾斜波形電圧発生回路は備えていない。
【００９８】
維持パルス発生回路８０は、電力回収回路８１と、スイッチング素子Ｑ８５と、スイッチング素子Ｑ８６とを有し、維持電極ＳＵ１〜ＳＵ１０８０に印加する維持パルスを発生する。電力回収回路８１は維持電極ＳＵ１〜ＳＵ１０８０を駆動するときの電力を回収して再利用する。スイッチング素子Ｑ８５は維持電極ＳＵ１〜ＳＵ１０８０を電圧Ｖｓにクランプし、スイッチング素子Ｑ８６は維持電極ＳＵ１〜ＳＵ１０８０を電圧０（Ｖ）にクランプする。
【００９９】
Ｖｅ電圧発生回路９０は、スイッチング素子Ｑ９１およびダイオードＤ９１を有し、維持電極ＳＵ１〜ＳＵ１０８０に電圧Ｖｅを印加する。
【０１００】
なお、これらのスイッチング素子およびトランジスタは、タイミング発生回路４５で発生したそれぞれのスイッチング素子およびトランジスタに対応するタイミング信号により制御される。
【０１０１】
次に、維持電極駆動回路１４４の動作について説明する。図１２は、本発明の実施の形態２におけるプラズマディスプレイ装置４０の維持電極駆動回路１４４の動作を説明するためのタイミングチャートである。
【０１０２】
全セル初期化動作の前半に維持電極ＳＵ１〜ＳＵ１０８０に電圧０（Ｖ）を印加するには、スイッチング素子Ｑ８６をオンにする。
【０１０３】
第１放電セルの全セル初期化動作の後半で維持電極ＳＵ１〜ＳＵ１０８０に電圧Ｖｅから電圧Ｖｇに向かって第１の勾配で緩やかに降下する下り傾斜波形電圧を印加するには、スイッチング素子Ｑ８６をオフ、スイッチング素子Ｑ９１をオンにして、まず維持電極ＳＵ１〜ＳＵ１０８０に電圧Ｖｅを印加する。ここまでは実施の形態１における維持電極駆動回路４４の動作と同じである。
【０１０４】
実施の形態２における維持電極駆動回路１４４では、その後スイッチング素子Ｑ９１をオフにして維持電極駆動回路１４４の出力をハイインピーダンス状態とする。すると走査電極と維持電極との間に存在する電極間容量を介して、走査電極に印加される下り傾斜波形電圧が維持電極にも印加される。そしてこのときに維持電極ＳＵ１〜ＳＵ１０８０に印加される下り傾斜波形電圧は、第１走査電極群に属する走査電極ＳＣ１〜ＳＣ５４０に印加される下り傾斜波形電圧を、維持電極−接地電位間の容量と維持電極−第１走査電極群に属する走査電極間の容量とで容量分割した電圧となる。そのため、維持電極ＳＵ１〜ＳＵ１０８０に印加される下り傾斜波形電圧の第１の勾配は、走査電極ＳＣ１〜ＳＣ５４０に印加される下り傾斜波形電圧の勾配よりも緩やかとなる。
【０１０５】
このとき維持電極駆動回路１４４の出力をハイインピーダンス状態とするタイミングｔ１は、維持電極ＳＵ１〜ＳＵ１０８０の電圧が電圧Ｖｇまで低下するように、パネル１０の各電極間容量にもとづき設定する。
【０１０６】
続く第１放電セルの書込み期間には、スイッチング素子Ｑ９１をオンにして維持電極ＳＵ１〜ＳＵ１０８０に電圧Ｖｅを印加する。
【０１０７】
次に第２放電セルの全セル初期化動作の後半で維持電極ＳＵ１〜ＳＵ１０８０に電圧Ｖｅから電圧Ｖｇに向かって第２の勾配で緩やかに降下する下り傾斜波形電圧を印加するには、スイッチング素子Ｑ９１を継続してオンにして、まず維持電極ＳＵ１〜ＳＵ１０８０に電圧Ｖｅを印加する。その後、スイッチング素子Ｑ９１をオフにして、維持電極駆動回路１４４の出力をハイインピーダンス状態とする。すると走査電極と維持電極との間に存在する電極間容量を介して、走査電極に印加される下り傾斜波形電圧が維持電極にも印加される。そしてこのときに維持電極ＳＵ１〜ＳＵ１０８０に印加される下り傾斜波形電圧は、第１走査電極群に属する走査電極ＳＣ１〜ＳＣ５４０に印加される下り傾斜波形電圧および第２走査電極群に属する走査電極ＳＣ５４１〜ＳＣ１０８０に印加される下り傾斜波形電圧を、維持電極−接地電位間の容量と維持電極−第１走査電極群に属する走査電極および第２走査電極群に属する走査電極間の容量とで容量分割した電圧となる。そのため、維持電極ＳＵ１〜ＳＵ１０８０に印加される下り傾斜波形電圧の第２の勾配は、第１の勾配よりも急峻となる。しかし走査電極ＳＣ１〜ＳＣ１０８０に印加される下り傾斜波形電圧の勾配よりも緩やかとなる。
【０１０８】
このときも、維持電極駆動回路１４４の出力をハイインピーダンス状態とするタイミングｔ２は、維持電極ＳＵ１〜ＳＵ１０８０の電圧が電圧Ｖｇまで低下するように、パネル１０の各電極間容量にもとづき設定する。
【０１０９】
以上のようにして、傾斜波形電圧発生回路を有さない維持電極駆動回路１４４を用いても２相駆動を行うことができる。
【０１１０】
なお本発明の実施の形態においては、ＳＦ１〜ＳＦ１０で２相駆動を行うものとして説明した。しかし本発明はこれに限定されるものではない。２相駆動を行うサブフィールドと２相駆動を行わないサブフィールドとで１フィールドを構成してもよい。
【０１１１】
また本発明の実施の形態においては、表示画面の上半分に対応する走査電極ＳＣ１〜ＳＣ５４０を第１走査電極群とし、表示画面の下半分に対応する走査電極ＳＣ５４１〜ＳＣｎを第２走査電極群とした例について説明した。しかし本発明はこれに限定されるものではなく、例えば、奇数番目に属する走査電極を第１走査電極群とし、偶数番目に属する走査電極を第２走査電極群としてもよい。
【０１１２】
また本発明の実施の形態においては、走査電極ＳＣ１〜ＳＣｎを２つの走査電極群に分け、２相駆動を行う例について説明したが、本発明はこれに限定されるものではなく、例えば走査電極ＳＣ１〜ＳＣｎを３つの走査電極群に分け、それぞれの走査電極群毎に初期化動作、書込み動作を順次行うように駆動してもよい。
【０１１３】
さらに、パネル１０の表示領域を複数の領域に分け、複数の領域に対応して走査電極を複数の走査電極群に分け、第１フィールドの最後のサブフィールドの点灯率をそれぞれの領域において算出し、点灯率が大きい領域の順に、対応する走査電極群の選択初期化動作および書込み動作を行ってもよい。このように表示画像に応じて走査電極群の選択初期化動作および書込み動作の順序を切換えて駆動することで、安定した書込み放電を発生させるために必要な走査パルスの振幅をさらに抑制することができる。
【０１１４】
また図７、図８、図１１のそれぞれに示した駆動回路は、図３に示した駆動電圧波形を発生させる回路構成の一例であって、本発明のプラズマディスプレイ装置は、この回路構成に限定されるものではない。
【０１１５】
また、本発明の実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１１６】
本発明は、大画面、高精細パネルであっても、駆動電圧を大きく上昇させることなく、かつ安定した書込み放電を発生させつつ、黒輝度を抑えてコントラストを高めた画像表示が可能であり、パネルの駆動方法およびプラズマディスプレイ装置として有用である。
【符号の説明】
【０１１７】
１０    パネル
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４，１４４    維持電極駆動回路
４５    タイミング発生回路
５０，８０    維持パルス発生回路
５１，８１    電力回収回路
６０    傾斜波形電圧発生回路
６１，６２，６３，９６，９７    ミラー積分回路
７０    走査パルス発生回路
９０    Ｖｅ電圧発生回路
９５    傾斜波形電圧発生回路
【図１】
2010249916.tif 000003
【図２】
2010249916.tif 000004
【図３】
2010249916.tif 000005
【図４Ａ】
2010249916.tif 000006
【図４Ｂ】
2010249916.tif 000007
【図５Ａ】
2010249916.tif 000008
【図５Ｂ】
2010249916.tif 000009
【図６】
2010249916.tif 000010
【図７】
2010249916.tif 000011
【図８】
2010249916.tif 000012
【図９】
2010249916.tif 000013
【図１０】
2010249916.tif 000014
【図１１】
2010249916.tif 000015
【図１２】
2010249916.tif 000016